(57)【要約】      （修正有）【課題】連番の鍵を用い、上位の鍵による鍵変更で、下位の鍵を使用不能にし、特別な鍵変更キーを必要としないようにする。【解決手段】外タンブラー６と内タンブラー７，中間ピン８，中間ピン収納部３ｂ，ストッカーピン９，中間ピン待避孔２ｂ，及び抑え上ピン１０とが、使用する鍵のＮｏ．１〜Ｎｏ．ｎに対応して内筒３または外筒２にｎ段に分けてそれぞれ設けられ、使用中の鍵に対して鍵番号が上位の鍵で鍵変更操作したときに、前記中間ピンが中間ピン基準位置の内筒側における収納部から中間ピン収納部へと移動して収納され、前記中間ピン基準位置の内筒側収納部に中間ピンが無いことで外筒側の外タンブラーの先端部がシャーラインを超えて内筒側に進出して、当該上位の鍵よりも下位の鍵では解錠できなくなり、当該上位の鍵よりも更に上位の鍵では前記外タンブラーの先端部をシャーラインに押し戻すことで解錠できるシリンダー錠とした。【選択図】図２
2008038429.tif 000002
【特許請求の範囲】
【請求項１】
外部部材に固定する固定手段を有する外筒と、
該外筒に回転自在に内包され先端部から鍵孔が設けられ後端部で施解錠ドライバーに係合する内筒と、
前記外筒に配設され前記内筒の鍵孔に向かって各々が弾性手段で付勢される複数の外タンブラーと、
前記内筒に配設され前記外筒側の外タンブラーと各々が対向配置に配設され鍵孔にその先端部が臨む複数の内タンブラーと、
対向する前記外タンブラーの先端部と前記内タンブラーの後端部との間で前記外タンブラーに付勢されて内筒側に配設される中間ピンと、
該中間ピンが使用中の鍵よりも上位の鍵である鍵変更キーによって中間ピン基準位置の内筒側の収納部から外筒側の収納部に残された際に、鍵変更方向への回転により当該中間ピンを内筒側に収納する中間ピン用収納部と、
前記中間ピン用収納部に設けられ前記中間ピンを外筒側の収納孔に移動させるためのストッカーピンと、
前記中間ピン収納部に対向して外筒側に設けられている中間ピン待避孔と、
該中間ピン待避孔内に設けられるとともに内筒と外筒との境目のシャーラインを超えることなく内筒の半径方向に付勢するされている抑え上ピンと、があり、
前記外タンブラーと内タンブラー，中間ピン，中間ピン収納部，ストッカーピン，中間ピン待避孔，及び抑え上ピンとが、使用する鍵のＮｏ．１〜Ｎｏ．ｎ（ｎは、２以上の整数）に対応して前記内筒または外筒にｎ段に分けてそれぞれ設けられ、
使用中の鍵に対して鍵番号が上位の鍵で鍵変更操作したときに、前記中間ピンが中間ピン基準位置の内筒側における収納部から中間ピン収納部へと移動して収納され、
前記中間ピン基準位置の内筒側収納部に中間ピンが無いことで外筒側の外タンブラーの先端部がシャーラインを超えて内筒側に進出して、当該上位の鍵よりも下位の鍵では解錠できなくなり、
当該上位の鍵よりも更に上位の鍵では前記外タンブラーの先端部をシャーラインに押し戻すことで解錠できること、
を特徴とするシリンダー錠。
【請求項２】
リセット用鍵には、鍵孔に沿って該鍵孔に前記リセット用鍵を装着した場合に外部にまで露出する凹溝が設けられ、このリセット用鍵により内筒を鍵変更位置に回動させた後に、外部から前記凹溝にリセットロッドを差し込んで、中間ピン収納部の中間ピンを外筒側に収納させ、前記リセット用鍵を前記鍵変更位置から中間ピン基準位置に戻して引き抜くことで前記中間ピンが中間ピン基準位置の外筒側の収納部から内筒側の収納部に移動され、各段の中間ピンが初期状態に戻されること、
を特徴とする請求項１に記載のシリンダー錠。
【発明の詳細な説明】
【技術分野】
【０００１】
本発明は、例えば、鍵の交換できるシリンダー錠において、新しい鍵を鍵穴に挿入して使用することで鍵の交換が完了するとともに、リセットすることも可能なシリンダー錠に関するものである。
【背景技術】
【０００２】
従来、ホテル、マンション、賃貸マンション等の集合住宅におけるシリンダー錠のキーチェンジ方法は、例えば、外筒と該外筒に回転自在に内包される内筒と、前記外筒に設けられ常に内筒の中心部に向かって付勢される複数個のタンブラーと、前記内筒に設けられる複数個のタンブラーと、前記対向する外筒と内筒とのタンブラー間に適宜に設けられる補助タンブラーとでなり、前記補助タンブラーを異なる鍵により当該錠から排除することでキーチェンジを可能にするものが知られている（特許文献１参照）。
【特許文献１】特開平１１−１２５０３９号公報
【発明の開示】
【発明が解決しようとする課題】
【０００３】
しかし、従来のシリンダー錠では、キーチェンジを繰り返して最後のキーとなった後は、キーチェンジが不可能となり、新しいシリンダー錠に交換するしかない。しかも、キーチェンジする度に、補助タンブラーがシリンダー錠から撤去されるので、リセットさせるには、内筒を外筒から脱着してその内筒のタンブラーに補助タンブラーを装着しなければならずきわめて手間が掛かる。また、グランドマスターキーが使用できても、過去に使用したオーナーキーを再使用することができない。前記内筒・外筒の交換無しで前記補助タンブラーの状態を復帰させることが出来れば、再び最初のキーから使用することができて便宜に成ると共にランニングコストの低減となる。本発明に係るシリンダー錠は、このような課題を解決するために提案されたものである。
【課題を解決するための手段】
【０００４】
本発明に係るシリンダー錠の上記課題を解決して目的を達成するための要旨は、外部部材に固定する固定手段を有する外筒と、該外筒に回転自在に内包され先端部から鍵孔が設けられ後端部で施解錠ドライバーに係合する内筒と、前記外筒に配設され前記内筒の鍵孔に向かって各々が弾性手段で付勢される複数の外タンブラーと、前記内筒に配設され前記外筒側の外タンブラーと各々が対向配置に配設され鍵孔にその先端部が臨む複数の内タンブラーと、対向する前記外タンブラーの先端部と前記内タンブラーの後端部との間で前記外タンブラーに付勢されて内筒側に配設される中間ピンと、該中間ピンがマスターキー若しくは使用中の鍵よりも上位の鍵である鍵変更キーによって中間ピン基準位置の収納部から外筒側の収納部に残された際に、鍵変更方向への回転により当該中間ピンを内筒側に収納する中間ピン用収納部と、前記中間ピン用収納部に設けられ前記中間ピンを外筒側の収納孔に移動させるためのストッカーピンと、前記中間ピン収納部に対向して外筒側に設けられている中間ピン待避孔と、該中間ピン待避孔内に設けられるとともに内筒と外筒との境目のシャーラインを超えることなく内筒の半径方向に付勢するされている抑え上ピンと、があり、前記外タンブラーと内タンブラー，中間ピン，中間ピン収納部，ストッカーピン，中間ピン待避孔，及び抑え上ピンとが、使用する鍵のＮｏ．１〜Ｎｏ．ｎ（ｎは、２以上の整数）に対応して前記内筒または外筒にｎ段に分けてそれぞれ設けられ、使用中の鍵に対して鍵番号が上位の鍵で鍵変更操作したときに、前記中間ピンが中間ピン基準位置の収納部から中間ピン収納部へと移動して収納され、前記中間ピン基準位置の収納部に中間ピンが無いことで外筒側のカウンターピンの先端部がシャーラインを超えて内筒側に進出して、当該上位の鍵よりも下位の鍵では解錠できなくなり、当該上位の鍵よりも更に上位の鍵では前記カウンターピンの先端部をシャーラインに押し戻すことで解錠できることである。
【０００５】
前記リセット用鍵には、鍵孔に沿って該鍵孔に前記リセット用鍵を装着した場合に外部にまで露出する凹溝が設けられ、このリセット用鍵により内筒を鍵変更位置に回動させた後に、外部から前記凹溝にリセットロッドを差し込んで、中間ピン収納部の中間ピンを外筒側に収納させ、前記リセット用鍵を前記鍵変更位置から中間ピン基準位置に戻して引き抜くことで前記中間ピンが中間ピン基準位置の外筒側の収納部から内筒側の収納部に移動され、各段の中間ピンが初期状態に戻されること、を含むものである。
【発明の効果】
【０００６】
本発明のシリンダー錠によれば、Ｎｏ．１の鍵から使用して、このＮｏ．１鍵に対して上位のＮｏ．Ｘの鍵は常に施錠・解錠が可能であり、鍵変更操作を行うと、その鍵変更操作を行った鍵よりも下位のＮｏ．Ｘ−１鍵以下の鍵は使用できなくなる。
また、常に施錠・解錠が可能なリセット用鍵を鍵孔に差し込み、鍵変更位置に内筒を回転させ、元の位置に内筒を戻すと、各段における中間ピンが中間ピン収納部に移動する。これにより、Ｎｏ．１〜Ｎｏ．ｎまでの全ての鍵が使用できなくなる。
更に、前記リセット用鍵で鍵変更位置に内筒を回して、このリセット用鍵の凹溝にリセットロッドを差し込んで、内筒の奥まで差し込むと、中間ピンが中間ピン収納部のストッカーピンによって中間ピン基準位置の外筒側の収納部に移動され、その状態で前記リセット用鍵を元の位置に戻すと、外筒側に移動した中間ピンが外タンブラーを介して弾性部材で押されて、内筒側の収納部に移動され、各段の中間ピンが初期状態に戻る。
このように、本発明のシリンダー錠は、上位のＮｏ．の鍵が鍵変更キーとなり、鍵変更キーを特別に必要とせず、リセット用鍵により、それ以外の鍵の使用を禁止することができるとともに、リセットロッドを使用することで、初期状態に戻すことができる。
リセット用鍵は、これによる鍵変更操作しないで、単に、解錠方向に回転させて解錠させて、また、元の施錠位置に戻すと、施錠・解錠ができて、中間ピンも各段に亘って元の位置ままに維持され鍵使用番号が変わらず、マスターキーとして使用できる。
【発明を実施するための最良の形態】
【０００７】
本発明に係るシリンダー錠１は、図１に示すように、外部部材に固定する固定手段を有する円筒状の外筒２と、該外筒２に回転自在に内包され先端部から鍵孔３ａが設けられ後端部で施錠・解錠ドライバー４に係合する円筒状の内筒３とがある。
【０００８】
前記外筒２に配設され前記内筒３の鍵孔３ａに向かって各々が弾性手段５で付勢される複数の外タンブラー６と、前記内筒３に配設され前記外筒側の外タンブラー６と各々が対向配置に配設され鍵孔３ａにその先端部が臨む複数の内タンブラー７とがある。そして、対向する前記外タンブラー６の先端部と前記内タンブラー７の後端部との間で前記外タンブラー６に付勢されて内筒側に配設される中間ピン８がある。
【０００９】
前記中間ピン８がマスターキー若しくは使用中の鍵よりも上位の鍵である鍵変更キーによって中間ピン基準位置Ａの収納部３ｂから外筒側の収納部２ａに残された際に、鍵変更方向（図２では反時計方向）への回転により当該中間ピン８を内筒側に収納する中間ピン用収納部３ｃと、前記中間ピン用収納部３ｃに設けられ前記中間ピン８を外筒側の収納孔２ａに移動させるためのストッカーピン９と、前記中間ピン収納部３ｃに対向して外筒側に設けられている中間ピン待避孔２ｂと、該中間ピン待避孔２ｂ内に設けられるとともに内筒３と外筒２との境目のシャーラインａを超えることなく内筒３の半径方向に付勢されている抑え上ピン１０とがある。
【００１０】
図１乃至図２に示すように、前記外タンブラー６と内タンブラー７，中間ピン８，中間ピン収納部３ｃ，ストッカーピン９，中間ピン待避孔２ｂ，及び抑え上ピン１０とが、使用する鍵のＮｏ．１〜Ｎｏ．ｎ（ｎは、２以上の整数）に対応して、前記内筒３または外筒２において、鍵孔３ａの軸心に沿って、手前を１段目として奥の方にｎ段に分けて、この第１実施例では、２段目からそれぞれ設けられている。勿論、１段目から設けるようにしても良い。また、１段目〜ｎ段目の各段において、内タンブラー７ａ，外タンブラー６ａが、周方向に間隔をおいて中心から放射状に配置され、異鍵による解錠を防止している。
【００１１】
このシリンダー錠１の鍵変更操作に関して、前記中間ピン８の有無によって、解錠が可能になったり不可能になったりする。図２に示すように、中間ピン基準位置Ａに、内筒側の収納部３ｂに中間ピン８があるのが、シリンダー錠１の２段目からｎ段目における初期状態である。この状態から、時計方向に約９０度回転させるのが解錠操作であり、逆に、反時計方向に約４５度回転させるのが鍵変更操作である。初期状態の鍵孔３ａの位置が施錠状態である。
【００１２】
そして、Ｎｏ．１の鍵１１を鍵孔３ａに差し込んだ状態が図３に示す状態である。前記初期状態では、外タンブラー６の先端部が、シャーラインａを超えて内筒３側に進出し、収納部３ｂには、中間ピン８と内タンブラー７とがある。
【００１３】
そして、図３に示す状態では、Ｎｏ．１の鍵１１のキー溝の深さ程度により、前記内タンブラー７及び中間ピン８が半径方向で外側に押され、前記中間ピン８の先端がシャーラインａに揃う。また、中間ピン収納部３ｃにおいては、ストッカーピン９が半径方向外側に押し出され、その先端面がシャーラインａに揃っている。
【００１４】
これにより、ストッカーピン９を収納する中間ピン収納部３ｃに、施錠や鍵変更の操作時において外タンブラー６，６ａが入り込まないようにされる。他の外タンブラー６ａや内タンブラー７ａは、それぞれ、シャーラインａを境にして対向して当接していて、Ｎｏ．１の鍵１１による、内筒３の回転を許容している。
【００１５】
図４に示すように、Ｎｏ．１の鍵１１を反時計方向に回転させても、内筒３側の内タンブラー７，７ａ及びストッカーピン９の先端がシャーラインａに揃っているので、外タンブラー７，７ａがシャーラインａを超えることはない。
【００１６】
次に、鍵孔３ａにＮｏ．２の鍵１２を差し込むと、図５に示すように、２段目における、中間ピン基準位置Ａのキー溝１２ａの深さが、前記鍵１１の場合よりも浅いので、内タンブラー７及び中間ピン８が半径方向外側に押し出され、前記内タンブラー７の先端がシャーラインａに揃い、前記中間ピン８が、シャーラインａを超えて外筒２側の収納孔２ａに進出する。これにより、収納孔２ａ内の外タンブラー６は、弾性手段であるコイルスプリング５の付勢力に抗して外側に押し込まれる。
【００１７】
また、中間ピン収納部３ｃにおいては、前記鍵１２のキー溝１２ｂの深さが、前記鍵１１の場合に比べて深いので、ストッカーピン９は半径方向外側に押されることなく、このストッカーピン９の先端とシャーラインａとの間には、中間ピン８が入るほどの十分な間隙がある。
【００１８】
この状態から鍵１２を時計方向に回転させて、解錠することが可能である。なお、鍵のＮｏ．Ｘが上位の鍵は全部、施錠・解錠が可能である。そして、図６に示すように、鍵１２を鍵変更位置にまで（この実施例では約４５度程度、図ではその回転途中）、反時計方向に回転させると、２段目において、中間ピン基準位置Ａの収納孔２ａと中間ピン収納部３ｃとが半径方向において一致し、コイルスプリング５の付勢力により、外タンブラー６を介して半径方向の内側に押されるので、中間ピン８がシャーラインａを超えて中間ピン収納部３ｃに入り込む。なお、中間ピン待避孔２ｂにおける抑え上ピン１０においては、内筒３側の収納孔が一致しようとしまいと関係なく、抑え上ピン１０の先端がシャーラインａに揃っている。
【００１９】
そして、前記鍵１２を時計方向に戻して回転させ元の位置に戻して鍵孔３ａから引き抜くと、図７に示すようになる。２段目においては、中間ピン基準位置Ａに中間ピン８が無くなり、中間ピン収納部３ｃ前記中間ピン８が収納される。これにより、中間ピン基準位置Ａに置いて中間ピン８の分の高さが不足することになる。従って、図８に示すように、Ｎｏ．１の鍵１１を鍵孔３ａに差し込んでも、図３と比較して判るように、中間ピン基準位置Ａにおける収納部３ｂに中間ピン８が存在しないので、コイルバネ５に付勢するされた外タンブラー６の先端がシャーラインａを超えて内筒３側に入り込む。これにより、鍵１１で内筒３を回転させようとしても、前記外タンブラー６が引っかかり、回転不能となる。
【００２０】
また、前記鍵１１が鍵孔３ａに挿入されたことで、ストッカーピン９が半径方向外側に押し出され、その先端がシャーラインａに揃い、それによって、前記中間ピン８がシャーラインａを超えて外筒２側に移動し、中間ピン待避孔２ｂに収納され待避する。抑え上ピン１０はコイルバネ５に抗して外側に押し込まれる。このように、中間ピン待避孔２ｂは、キー溝の浅いものが使用された場合に、中間ピン収納部３ｃに収納された中間ピン８が強制的に外筒２側へ移動させられるので、内筒３の回転に支障ないように外筒２側へ待避させるためにある。
【００２１】
こうして、Ｎｏ．２の鍵１２を使用して、鍵変更操作すると、２段目の中間ピン８は、中間ピン収納部３ｃに移動して、下位のＮｏ．の鍵１１は、もはや使用できなくなる。また、前記鍵１２自身がチェンジキーの機能を持つ。なお、図５に示す状態で、この鍵１２を鍵孔３ａに差し込んで直ちに鍵変更操作をしないで、解錠操作して内筒３を時計方向に回転させた場合でも、中間ピン収納部３ｃの孔径が、他の外タンブラー用の孔径よりも小さいので、解錠操作中に外タンブラー６ａが前記中間ピン収納部３ｃに入り込むことはない。
【００２２】
こうして、２段目の中間ピン８が、中間ピン基準位置Ａから中間ピン収納部３ｃに移動したことで、Ｎｏ．２の鍵１２とそれ以上の上位の鍵で、施錠・解錠が可能であるが、下位の鍵１１では施錠・解錠できなくなる。更に、３段目において、Ｎｏ．３の鍵による鍵変更操作で、中間ピン８が中間ピン基準位置Ａから中間ピン収納部３ｃに移動されると、Ｎｏ．１とＮｏ．２との鍵１１，鍵１２は、中間ピン基準位置Ａにおける外タンブラー６が内筒３側に進入するので、内筒３が回転不能となり使用不可能になる。
【００２３】
前記シリンダー錠１の２段目、３段目の中間ピン８が、中間ピン基準位置Ａから中間ピン収納部３ｃに移動すると、それがリセット用鍵で元の位置に戻されるまで、この中間ピン８は中間ピン収納部３ｃから移動することがない。
【００２４】
このような連番の鍵を複数枚、用意しておけば、例えば、使用者が鍵を不注意で無くしても、鍵の管理者から使用者に次の上位のＮｏ．Ｘの鍵を渡すことで、その上位の鍵で直ちに鍵変更が可能で、すぐ使用できる。シリンダー錠の交換等をすることもなく、また、特別な鍵変更用の鍵を用意することもない。このような関係を表で示すと、以下のようになる。
【００２５】
中間ピン８の有無は、各段における中間ピン基準位置Ａにおいての有無を示す。また、○印は、施錠・解錠できることを示す。
2008038429.tif 000003
【００２６】
次に、図９に示す前記リセット用鍵１３で、各段の前記中間ピン８を全部、中間ピン基準位置Ａに戻す方法を説明する。リセット用鍵１３は、掴み部１３ａと鍵孔に差し込む本体部１３ｂとがあり、これらを貫いて片面側に一条のリセット用凹溝１３ｃが設けられている。前記凹溝１３ｃには、図１０に示す、全体棒状のリセットロッド１４が挿入されるものである。１４ａが掴み部、１４ｂがロッド本体部を示している。
【００２７】
前記リセット用鍵１３による初期状態への復帰方法は、図１１に示すように、まず、シリンダー錠１の鍵孔３ａに前記リセット用鍵１３を差し込む。すると、この鍵の本体部１３ｂの上角部にある溝１３ｃにより半径方向の押し出しが少ないので、各段の中間ピン収納部３ｃにおいて、ストッカーピン９の先端とシャーラインａとの間の間隙に中間ピン８が収納される。
【００２８】
そして、図１２に示すように、反時計方向にリセット用鍵１３を約４５度ほど回転させ鍵変更位置にセットする。すると、中間ピン基準位置Ａに、前記中間ピン収納部３ｃが至り、収納孔２ａと半径方向で位置が一致する。そこで、図１３に示すように、リセット用鍵１３の前記凹溝１３ｃに、鍵１３の掴み部１３ａからリセットロッド１４を凹溝１３ｃに差し込んで、奥に突き当たるまで差し込む。
【００２９】
これにより、前記凹溝１３ｃにリセットロッド１４が埋め込まれたので、半径方向にストッカーピン９が押し出されてその先端がシャーラインａに揃い、同時に、中間ピン８がシャーラインａを超えて、外筒２側の収納部２ａに進入する。この収納部２ａ内の外タンブラー６がコイルバネ５の付勢力に抗して外側に押し込まれる。前記リセットロッド１４は、各段に亘って凹溝１３ｃに差し込まれるので、各段の全部の中間ピン８が外筒２の収納部２ａに収納される。
【００３０】
図１３に示す鍵変更位置から、リセット用鍵１３を時計方向に回転させて元の位置に戻す。これにより、全ての中間ピン８が、中間ピン基準位置Ａにおける、外筒２側の収納部２ａに残る。そして、鍵孔３ａから前記リセット用鍵１３及びリセットロッド１４を一緒に抜くと、図１及び図２に示すように、中間ピン基準位置Ａにおける前記中間ピン８が、外筒２側の収納部２ａからコイルバネ５によって、内筒３側の収納部３ｂに戻る。これで、シリンダー錠１の初期状態となる。
【００３１】
このように、リセット用鍵１３で中間ピン８を中間ピン基準位置Ａに戻すことができるが、図１３に示す状態で、仮に、リセットロッド１４を凹溝１３ｃに差し込まないで、リセット用鍵１３を元に戻して鍵孔３ａから抜くと、全部の中間ピン８が、中間ピン収納部３ｃに移動してしまい、Ｎｏ．１鍵〜Ｎｏ．ｎ鍵のどれでも施錠・解錠できなくなる。よって、このリセット用鍵１３で、単に、鍵変更操作をして、他の鍵では施錠・解錠できないようにすることができるのである。これも、使用者にＮｏ．１〜Ｎｏ．ｎまでのいずれかの鍵を引き渡す前において、管理者がシリンダー錠１を施錠しておくことができて、新築のマンション等において便宜である。
【図面の簡単な説明】
【００３２】
【図１】本発明に係るシリンダー錠１の縦断面図である。
【図２】同本発明のシリンダー錠１における、中間ピン８がある各段の断面図である。
【図３】同シリンダー錠１の初期状態において、鍵孔３ａにＮｏ．１鍵１１を挿入した状態の断面図である。
【図４】同シリンダー錠１において、Ｎｏ．１鍵１１で内筒３を鍵変更操作方向（反時計方向）に回転させている状態の断面図である。
【図５】同シリンダー錠１の初期状態において、Ｎｏ．２の鍵１２を鍵孔３ａに差し込んだ状態の断面図である。
【図６】同Ｎｏ．２の鍵１２を、鍵変更操作している状態の断面図である。
【図７】同シリンダー錠１がＮｏ．２の鍵１２によって、２段目の中間ピン８が鍵変更された状態の断面図である。
【図８】同シリンダー錠１の２段目の中間ピン８が、中間ピン基準位置Ａから移動したため、下位のＮｏ．１鍵１１では、内筒３が回転しない状態で有ることを示す断面図である。
【図９】リセット用鍵１３の平面図（Ａ）と、Ｂ−Ｂ線に沿った断面図（Ｂ）である。
【図１０】リセットロッド１４の正面図（Ａ）と、側面図（Ｂ）とである。
【図１１】本発明のシリンダー錠１に、リセット用鍵１３を鍵孔３ａに差し込んだ状態の断面図である。
【図１２】リセット用鍵１３で、各段の中間ピン８を、中間ピン基準位置Ａに戻す様子を示す断面図である。
【図１３】リセット用鍵１３で鍵変更位置に内筒３を回転させ、更に、凹溝１３ｃに差し込むリセットロッド１４で中間ピン８を外筒２側に移動させる様子を示す断面図である。
【符号の説明】
【００３３】
１          シリンダー錠、
２          外筒、                                ２ａ        収納部、
２ｂ        中間ピン待避孔、  
３          内筒、                                ３ａ        鍵孔、
３ｂ        収納部、                              ３ｃ        中間ピン収納部、
４          施錠・解錠ドライバー、
５          弾性手段（コイルスプリング）、
６，６ａ    外タンブラー、
７，７ａ    内タンブラー、
８          中間ピン、
９          ストッカーピン、
１０        抑えピン、
１１        Ｎｏ．１鍵、                １２          Ｎｏ．２鍵、
１３        リセット用鍵、              １３ａ        掴み部、
１３ｂ      本体部、                    １３ｃ        凹溝、
１４        リセットロッド、            １４ａ        掴み部、
１４ｂ      ロッド本体部。
【図１】
2008038429.tif 000004
【図２】
2008038429.tif 000005
【図３】
2008038429.tif 000006
【図４】
2008038429.tif 000007
【図５】
2008038429.tif 000008
【図６】
2008038429.tif 000009
【図７】
2008038429.tif 000010
【図８】
2008038429.tif 000011
【図９】
2008038429.tif 000012
【図１０】
2008038429.tif 000013
【図１１】
2008038429.tif 000014
【図１２】
2008038429.tif 000015
【図１３】
2008038429.tif 000016